(57)【要約】【課題】浴室から隔絶された位置にオーディオ装置を配設し、浴室に取り付けたオーディオスピーカをオーディオ装置で鳴動させて浴室内で音楽を楽しむ音響装置が提案されている。一方、浴室内に防水構造の浴室テレビを取り付けて、浴室内でテレビを鑑賞することが行われている。テレビを鑑賞中に音楽が聴きたくなり、あるいはテレビ音声をオーディオスピーカから発音させたい場合には、オーディオ装置の電源をオンにする操作の他に、浴室テレビに設けられているテレビスピーカからのテレビ音声を消音する操作をしなければならない。【解決手段】オーディオ装置３の電源がオンにされると、オーディオスピーカ３１に内蔵した発光部から、浴室テレビ２を消音させる操作信号が重畳された赤外線を照射し、オーディオ装置３と浴室テレビ２とを別途の配線で接続することなく、浴室テレビ２を消音するようにした。【選択図】  図１
2007053535.tif 000002
【特許請求の範囲】
【請求項１】
テレビスピーカを備えた浴室テレビが設置された浴室に取り付けられる音響装置であって、浴室の内面に取り付けられたオーディオスピーカを鳴動させるオーディオ装置を有する浴室の音響装置において、オーディオ装置が作動を開始した場合にテレビスピーカからの発音を消音する消音手段を設けたことを特徴とする浴室の音響装置。
【請求項２】
浴室テレビからの音声出力を外部入力信号としてオーディオ装置に入力させ、浴室テレビの音声をオーディオスピーカから発音し得るように構成したことを特徴とする請求項１に記載の浴室の音響装置。
【請求項３】
上記浴室テレビは赤外線式のリモコンで操作され、上記オーディオ装置が作動すると、浴室テレビを消音させる制御信号が重畳された赤外線を射出する赤外線射出手段を設けたことを特徴とする請求項１または請求項２に記載の浴室の音響装置。
【発明の詳細な説明】
【技術分野】
【０００１】
本発明は、テレビスピーカを備えた浴室テレビが設置された浴室に取り付けられる、浴室の音響装置に関する。
【背景技術】
【０００２】
入浴中に浴室内で音楽などを楽しみたいという要求がある。この要求を満たすため、浴室外に設置したラジオや音楽プレーヤからの出力信号を外部入力信号として入力し、浴室内に設けたオーディオスピーカを鳴動させるようにした音響装置が知られている（例えば、特許文献１または特許文献２参照）。
【特許文献１】特開２００２−２９１０５４号公報（請求項１、図１）
【特許文献２】特開平５−３２８４４３号公報（図１）
【発明の開示】
【発明が解決しようとする課題】
【０００３】
上記公報に記載された音響装置とは別に、防水構造の浴室テレビを浴室内に設置することが行われている。この浴室テレビは単独で使用される場合があるため、テレビスピーカを備えており、テレビスピーカからテレビ音声を発音してテレビ画面を鑑賞することができるように構成されている。
【０００４】
一方、上記公報に記載のような音響装置は、浴室テレビと同時に施工されるとは限らず、またメーカも一致しない場合があり、浴室テレビから音声信号が出力できるのであれば、その音声信号を外部入力信号として入力する程度の関係性しか持たすことができない場合が多い。
【０００５】
このような構成では、例えば浴室テレビを単独で作動させ、テレビ音声をテレビスピーカから発音させている状態で、音響装置を作動させてオーディオスピーカでテレビ音声を発音させたい場合や、テレビ音声ではなく別途の音楽をオーディオスピーカから発音させたい場合には、音響装置を作動させると共に、浴室テレビを消音させる操作をしなければ、オーディオスピーカからの高品質な音声を楽しむことができない。
【０００６】
そこで本発明は、上記の問題点に鑑み、このような煩わしさの生じない浴室の音響装置を提供することを課題とする。
【課題を解決するための手段】
【０００７】
上記課題を解決するために本発明による浴室の音響装置は、テレビスピーカを備えた浴室テレビが設置された浴室に取り付けられる音響装置であって、浴室の内面に取り付けられたオーディオスピーカを鳴動させるオーディオ装置を有する浴室の音響装置において、オーディオ装置が作動を開始した場合にテレビスピーカからの発音を消音する消音手段を設けたことを特徴とする。
【０００８】
浴室テレビを鑑賞中にオーディオ装置を作動させても、上記常温手段によって自動的に浴室テレビの音声が消音され、オーディオスピーカから音楽や音声が発音される。このため、オーディオ装置を作動させるたびに浴室テレビを消音させる操作を行う必要がない。
【０００９】
なお、浴室テレビからの音声出力を外部入力信号としてオーディオ装置に入力させ、浴室テレビの音声をオーディオスピーカから発音し得るように構成しておけば、テレビスピーカが消音してもオーディオスピーカからテレビ音声を引き続いて発音させることができる。
【００１０】
また、上記浴室テレビは赤外線式のリモコンで操作され、上記オーディオ装置が作動すると、浴室テレビを消音させる制御信号が重畳された赤外線を射出する赤外線射出手段を設ければ、浴室テレビに消音信号を送るための有線接続工事が不要となる。
【発明の効果】
【００１１】
以上の説明から明らかなように、本発明は、オーディオ装置を作動させるたびに浴室テレビを消音させる操作を行う必要がないので、従来の音響装置のように、浴室テレビの消音操作を別途行わなければならないという煩わしさが生じない。
【発明を実施するための最良の形態】
【００１２】
図１を参照して、１は浴室であり、この浴室１の壁面に浴室テレビ２が取り付けられている。この浴室テレビ２は防水構造のケーシング内に液晶表示部を備えており、更に１対のテレビスピーカ２１を備えている。本実施に形態では、浴室テレビ２内にチューナ部を内蔵させず、浴室１の天井裏にチューナ部２２を配設した。そのため、チューナ部２２内で選局された画像信号および音声信号は共に浴室１に取り付けられている浴室テレビ２に送信され、テレビ画像が表示されると共にテレビ音声がテレビスピーカ２１から発音されるように構成されている。
【００１３】
一方、浴室１から隔絶された位置にオーディオ装置３が載置されている。このオーディオ装置３はラジオ受信機能や音楽再生機能を備えており、例えばＣＤやＭＤといった音楽ソフトが収録されている記録媒体がセットされ、再生されると音楽などの音声信号が浴室１の天井に取り付けられた１対のオーディオスピーカ３１，３２に出力され、これらオーディオスピーカ３１，３２から発音されるように構成されている。
【００１４】
上記チューナ部３２にはテレビの音声信号を出力する機能が備えられており、その音声信号は外部入力信号としてオーディオ装置３に入力される。
【００１５】
浴室テレビ２およびオーディオ装置３の操作は、本実施例の場合共通１個のリモコン４で行うこととした。このリモコン４は各種の操作信号を重畳させた信号を照射すると共に、後述するように外部からの赤外線を受光することができる。
【００１６】
浴室テレビ２には前面に受光部が設けられており、リモコン４から照射された赤外線はその受光部で受光され、制御信号が分離される。一方、図２に示すように、オーディオ装置３の受光部５１はオーディオスピーカ３１内に取り付けた。したがって、リモコン４から照射された赤外線は、この受光部５１で受光される。受光部５１はフォトトランジスタで構成されており、赤外線から制御信号が分離され、オーディオ装置３へと送られる。
【００１７】
ところで、浴室テレビ２は浴室１内でリモコン４を操作する者が直接目視することができる。そのため、リモコン４により操作したあと、実際の作動状態は浴室テレビ２を目視することにより確認することができる。ところが、オーディオ装置３は浴室１から隔絶された位置に配設されているため、オーディオ装置３を直接目視することできない。
【００１８】
そこで、オーディオ装置３から所定の周期で、実際のオーディオ装置３の作動状態を示す信号を重畳した赤外線を、発光部５２から照射させるようにした。この発光部から照射された赤外線は、リモコン４の受光部で受光される。そして、リモコン４に表示部を設けておき、オーディオ装置３の実際の作動状態をその表示部に表示させるようにした。なお、この発光部５２からは浴室テレビ２をミュート（消音）させる信号が重畳された赤外線も照射される。５３は受光部５１および発光部５２で赤外線の受光および照射が行われている際に発光する確認用の発光ダイオードである。
【００１９】
図３を参照して、リモコン４の操作によってオーディオ装置３の電源がＯＮにされるまではオーディオ装置３は電源ＯＦＦの状態を保持する（Ｓ１，Ｓ２）。リモコン４の電源スイッチが押されるとオーディオ装置３の電源がオンにされ、続いて上記発光部５２から、浴室テレビ２を消音させるミュート信号が射出される（Ｓ１，Ｓ３）。なお、このとき、浴室テレビ２の電源がＯＦＦ状態であってもミュート信号が射出されるようにした。
【００２０】
但し、浴室テレビ２の電源がオンになっているか、もしくはリモコン４によってテレビ音声が選択されていれば（Ｓ４）、外部入力信号であるテレビ音声信号を再生してオーディオスピーカ３１，３２からテレビ音声を発音するようにした（Ｓ５）。また、浴室テレビ２がＯＦＦの状態やリモコン装置４によってオーディオ再生が選択されている場合には、オーディオ装置３の有する再生機能で再生された音楽をオーディオスピーカ３１，３２から発音させるようにした（Ｓ６）。
【００２１】
なお、本発明は上記した形態に限定されるものではなく、本発明の要旨を逸脱しない範囲内において種々の変更を加えてもかまわない。例えば、上記実施に形態では１台のリモコン４で浴室テレビ２とオーディオ装置３とを操作したが、各々専用のリモコンを用いるようにしてもよい。
【図面の簡単な説明】
【００２２】
【図１】本発明の一実施の形態の構成を示す図
【図２】オーディオスピーカの詳細を示す図
【図３】オーディオスピーカから発音される音声等の切換を示すフロー図
【符号の説明】
【００２３】
１  浴室
２  浴室テレビ
３  オーディオ装置
４  リモコン
【図１】
2007053535.tif 000003
【図２】
2007053535.tif 000004
【図３】
2007053535.tif 000005